(57)【特許請求の範囲】
【請求項１】
筐体と扉の間に、扉の前面から前方へ軸部を僅かに突出させてヒンジ機構を構成し、扉側に、ほぼ１８０°回転した際に隣接する扉の前面から前方へ僅かに突出した位置に存する軸部との干渉を避ける干渉回避部を設けるとともに、
前記軸部を扉の幅方向に沿ってほぼ吊元側の縁部上に設けていることを特徴とする扉開閉装置。
【請求項２】
軸部は、少なくとも一部が扉の肉厚寸法内に位置するように扉側に極接近させて設けてある請求項１記載の扉開閉装置。
【請求項３】
干渉回避部が、扉の肉厚寸法内に存する凹部、切欠、スリットその他の形態によって形成された開放空間であり、回転により反転した扉が隣接する扉の前面に近接して対面した際に、回転した扉の干渉回避部に設けられた開放空間に隣接するヒンジ機構の軸部を受容するようにしている請求項１又は２記載の扉開閉装置。
【請求項４】
筐体の側板の厚みに対応する位置に軸部が位置している請求項１〜３の何れかに記載の扉開閉装置。
【請求項５】
軸部が側板の厚み中心よりも更に側板の外面側に変位している請求項４記載の扉開閉装置。
【請求項６】
ヒンジ機構は、筐体に固定される固定部材と、扉に固定される可動部材とを具備し、それら固定部材及び可動部材には前面から前方に向かって膨出部が設けられ、軸部は各々の膨出部間を軸によって連結したものである請求項１〜５の何れかに記載の扉開閉装置。
【請求項７】
可動部材と固定部材は閉止時に重合し、可動部材を引き出すと可動部材の膨出部は固定部材の膨出部との重合位置を変えずに回転し、可動部材のうち固定部材が重合していた部位は、固定部材から離れることにより開放されて、隣接するヒンジ機構を構成する軸部との干渉を避ける干渉回避部として機能する請求項６記載の扉開閉装置。
【請求項８】
扉の吊元側に欠損部を設け、扉の閉止時にその欠損部を充填して扉の外形ラインを補完するように固定部材及び可動部材を配している請求項６又は７記載の扉開閉装置。
【請求項９】
請求項１〜８の何れかに記載の扉開閉装置によって一対の扉を観音開き状態で筐体に取り付けてなることを特徴とする収納家具。
【発明の詳細な説明】
【技術分野】
【０００１】
本発明は、簡素な構成で扉を極力前方に迫り出させることなく回転させて隣接する扉の前面に重合させ得るようにした扉開閉装置及び収納家具に関するものである。
【背景技術】
【０００２】
従来よりこの種の扉開閉装置としては、図１０（ａ）及び（ｂ）に示すような蝶番ｈを備えたものが一般的である。このものは、扉aの前面からアームｂを介して軸部ｃを前方へ十分に迫り出させておき、閉止位置から同図（ｃ）に示すようにほぼ１８０°回転することにより反転した扉ａがアームｂを介して軸部ｃから更に前方に持ち出されるようにしており、これにより当該扉ａが隣接する扉ａやその扉ａの軸部ｃ等と干渉しないようにしている。このため、軸部ａの突出量が多く、１８０°回転した扉ａと隣接する扉ａとの対面間に大きな隙間δが生じて見栄えや格調を損ね、前方の動作空間も狭められる等の不都合を伴うものであった。また、図示しないが扉ａを９０°回転した際にも、軸部ｃがアームｂを介して前方に突出していることで扉ａ全体が前方に迫り出し、前方の動作空間は更に大きく損なわれることとなっていた。
【０００３】
このような不都合を解消するために、例えば特許文献１等では２段蝶番（持ち出し蝶番）を利用するようにしている。この持ち出し蝶番は、第１の可動板を介して扉を９０°回転させ、その際に第１の可動板の先端側に持ち出された軸を介して第２の可動板を第１の可動板に対して更に９０°回転させ、その結果、扉を１８０°まで回転させ得るようにしている。そして、１８０°回転時に扉を隣接する扉に密接に対面配置し、９０°回転時にも扉が極力前方に迫り出さない状態を実現している。
【特許文献１】実公昭６０−６１３３号公報
【発明の開示】
【発明が解決しようとする課題】
【０００４】
しかしながら、このような持ち出し蝶番を利用すると、部品点数が増えて構造が複雑化する上に、２段階で動作することから操作の連続性が損なわれることになる。このため、より簡素に構成できて、連続した操作性の下に扉を極力迫り出させることなく９０°回転位置や１８０°回転位置に移動させることを可能にする扉開閉装置の実現が望まれるところである。
【０００５】
本発明は、このような扉開閉装置等を提供することを目的としている。
【課題を解決するための手段】
【０００６】
本発明は、かかる目的を達成するために、次のような手段を講じたものである。
【０００７】
すなわち、本発明の扉開閉装置は、筐体と扉の間に、扉の前面から前方へ軸部を僅かに突出させてヒンジ機構を構成し、扉側に、ほぼ１８０°回転した際に隣接する扉の前面から前方へ僅かに突出した位置に存する軸部との干渉を避ける干渉回避部を設けるとともに、前記軸部を扉の幅方向に沿ってほぼ吊元側の縁部上に設けていることを特徴とする。
【０００８】
このように構成すると、扉を略１８０°回転させた際に隣接する扉の軸部との干渉が干渉回避部において回避されるため、軸部の扉からの突出量を僅かな量に抑えて、反転した扉の前面を隣接する扉の前面に極近接させることができる。このため、２段蝶番などにせずとも、１８０°回転した扉と隣接する扉との対面間を密接させて見栄えや格調を良好に保ち、前方の動作空間も極力狭めないようにすることができる。また、９０°回転時においても、軸部が筐体に近い位置に存することで前方への突出量が抑えられ、動作空間を極力確保することが可能となる。
また、軸部が扉の幅方向に沿ってほぼ吊元側の縁部上にほぼ位置しているため、扉が回転した際に、吊元側の縁部の軸部からの回転半径が非常に小さく抑えられ、当該縁部が筐体と干渉することを極力回避することができる。この点も、軸部を筐体に極力近づけて９０°回転時に扉の無用な突出を抑えるという目的に対して奏功するものである。
【０００９】
軸部の突出量を極力小さく抑えるためには、軸部は、少なくとも一部が扉の肉厚寸法内に位置するように扉側に極接近させて設けてあること、換言すれば、軸部が扉の前面とほぼ同一の位置に設けてあることが望ましい。
【００１０】
干渉回避部の具体的な実施の態様としては、当該干渉回避部が扉の肉厚寸法内に存する凹部、切欠、スリットその他の形態によって形成された開放空間であり、回転により反転した扉が隣接する扉の前面に近接して対面した際に、回転した扉の干渉回避部に設けられた開放空間に隣接するヒンジ機構の軸部を受容するようにしていることが好適である。
【００１２】
筐体内の空間をより広く開放して物品の出し入れに便ならしめるためには、側板の前方において筐体の側板の厚みに対応する位置に軸部が位置していること、さらには軸部が側板の厚み中心よりも更に側板の外面側に変位していることが望ましい。
【００１３】
簡素で取付容易なヒンジ機構としては、筐体に固定される固定部材と、扉に固定される可動部材とを具備し、それら固定部材及び可動部材には前面から前方に向かって膨出部が設けられ、軸部は各々の膨出部間を軸によって連結したものであることが好適である。
【００１４】
この場合、干渉回避部を適切に構成するためには、可動部材と固定部材は閉止時に重合し、可動部材を引き出すと可動部材の膨出部は固定部材の膨出部との重合位置を変えずに回転し、可動部材のうち固定部材が重合していた部位は、固定部材から離れることにより開放されて、隣接するヒンジ機構を構成する軸部との干渉を避ける干渉回避部として機能することが合理的である。
【００１５】
扉にヒンジ機構を適切に組み込むためには、扉の吊元側に欠損部を設け、扉の閉止時にその欠損部を充填して扉の外形ラインを補完するように固定部材及び可動部材を配していることが好都合である。
【００１７】
以上の扉開閉装置は以上のような構成であるから、一対の扉を観音開き状態で筐体に取り付けた収納家具に適用して極めて有用なものとなり得る。
【発明の効果】
【００１８】
本発明は、以上説明した構成によって、２段蝶番等に比べてより簡素に構成することができ、しかも連続した操作性の下に扉を、極力前方に迫り出させることなく９０°回転位置や１８０°回転位置に移動させることを可能にする優れた扉開閉装置等を提供することができる。このような加え、軸部を筐体の側板前方に位置づければ、筐体を壁際に配置して扉を開いた場合や隣接する筐体から同時に扉を開いた場合などにも、扉をほぼ９０度開くことができ、筐体内部に引出等が収容されている場合にも引出の出し入れを不都合なく行うことが可能となる。
また、軸部が扉の幅方向に沿ってほぼ吊元側の縁部上にほぼ位置しているため、扉が回転した際に、吊元側の縁部の軸部からの回転半径が非常に小さく抑えられ、当該縁部が筐体と干渉することを極力回避することができる。この点も、軸部を筐体に極力近づけて９０°回転時に扉の無用な突出を抑えるという目的に対して奏功するものである。
【発明を実施するための最良の形態】
【００１９】
以下、本発明の一実施形態を、図面を参照して説明する。
【００２０】
図１は、この実施形態の扉開閉装置Ａを適用した収納家具１を示している。この収納家具は、左右の側板１１、頂板１２、底板１３及び背板１４によって構成される筐体１ｚの収納空間を開閉する位置に一対の扉１５を、扉開閉装置Ａを介して観音開き状態で取り付けてなるもので、扉開閉装置Ａは、扉１５の吊元側の縁部１５ａ近傍と頂板１２との間、及び、扉１５の吊元側の縁部１５ａ近傍と底板１３との間にそれぞれヒンジ機構ａ１、ａ２を配してなる。
【００２１】
図２は一対の収納家具１を隣接させた状態で、左側の収納家具１の扉開閉装置Ａを構成するヒンジ機構ａ１を組立状態で、また右側の収納家具１の扉開閉装置Ａを構成するヒンジ機構ａ１を一部分解した状態でそれぞれ示すものである。このヒンジ機構ａ１は、筐体１ｚ側に取り付けた固定部材２と、扉１５側に取り付けられる可動部材３とを軸４ｘを介して連結することにより構成されるものである。
【００２２】
固定部材２は、ブロック体状の部材本体２１から後方に向けて延びる取付片２２を有し、この取付片２２を頂板１２の適宜部位に固定することによって筐体１ｚの頂板１２と側板１４とのコーナー部付近の前面に取り付けられる。そして、この部材本体２１から僅かに前方に向けて膨出部２３を一体に突出させている。この膨出部２３は、図２及び図４等に示されるように、部材本体２１の厚みｔ１よりも薄肉なものであってその上面を部材本体２１の上面に合致させて形成されたもので、その下方は解放された空間となり、その下方空間に向けて膨出部２３の下面から軸４ｘが突出している。
【００２３】
一方、可動部材３は、図２、図３及び図６等に示されるように、前記固定部材２の部材本体２１と平面視においてほぼ同一形状をなす部材本体３１を扉１５の吊元側の縁部１５ａと上縁１５ｂとのコーナー部に設けた欠損部１５ｘに取り付けられるもので、部材本体３１には扉１５の欠損部１５ｘに予め設けた取付金具１５ｙに止着するためのねじ通過部３２が設けられている。そして、その部材本体３１から前方に向けて、上下方向の軸穴４ｙを有する膨出部３３を一体に突出させている。この膨出部３３は、部材本体３１の上面に乗っかるような状態で当該部材本体３１から前方にオーバーハングさせて設けてあり、図２において左側の収納家具１のヒンジ機構ａ１に示されるように、扉２の閉止時にこの可動部材３の膨出部３３が前記固定部材２１の膨出部２３の下方空間に配置されるようにしている。可動部材３の部材本体３１がなすブロック形状は、図５に示すように扉１５の欠損部１５ｘに配置された際に当該扉１５の外形ラインを補完するものであり、特に図２における左側の収納家具１のヒンジ機構ａ１のように扉２の閉止時に固定部材２の部材本体２１と重合した際には欠損部１５ｘをほぼ完全に補完されるものである。
【００２４】
そして、図３及び図４に示すように、固定部材２の膨出部２３の下面から垂下する軸４ｘを対応する可動部材３の膨出部３３の上面に設けた軸穴４ｙに差し込んで膨出部２３、３３間を連結し、これにより図５に示すように可動部材３を介して扉１５を回転可能に支持するようにしている。膨出部２３、３３の外周は部分円筒状をなし、図７に示すように扉１５の前面からの膨出部２３、３３の突出量ｄ１を極力小さくして、軸４ｘや軸穴４ｙ等からなる軸部４が扉１５の前面とほぼ同一位置にあるように、より詳しくはそれら膨出部２３、３３の中心に位置する軸４ｘや軸穴４ｙの一部が扉１５の前面ラインよりも更に肉厚内にさしかかる程度にまでこれら軸４ｘや軸穴４ｙや膨出部２３、３３からなる軸部４を扉１５側に極接近させている。換言すれば、軸部４の一部４ｚを扉１５の肉厚寸法Ｄ内に位置づけている。この実施形態では上記軸部４の膨出部２３、３３は部分円筒状をなし、当該軸部４の他の一部４ｚはこれよりも大径な部分円筒状をなしているが、軸部４の一部を同図中想像線４ｚ´のように膨出部２３、３３の円筒面に連続する形状にしたとしても、この一部４ｚ´はやはり扉１５の肉厚寸法Ｄ内に位置することとなる。また、この軸部４は筐体１ｚの側板１１を延長したならばその厚みｔ２内に位置する関係にあり、更に言えば、この実施形態で軸部４は側板１１の厚み中心ｍよりも更に側板１１の外面側に変位した状態にある。
【００２５】
扉１５を閉止位置に保持している状態では、図２における左側のヒンジ機構ａ１のように可動部材２及び固定部材３が重合してそれらの部材本体２１、３１の前面同士がほぼ揃い、両部材２１、３１から突出する膨出部２３、３３も上下に重合し外周も揃って見掛け上単一の円柱体状の軸部４をなす。この状態から図６→図７に向けて扉１５を回転させ、可動部材３を固定部材２から引き出すと、図５等に示すように可動部材３の膨出部３３は固定部材２の膨出部２３との重合位置を変えずに回転する一方、可動部材３のうち固定部材２が重合していた部位、すなわち可動部材３を構成する部材本体３１の上方の空間ｓは開放される。そして、可動部材３が更に回転すると、図８に示すように可動部材３の部材本体３１の上面３１ａは隣接するヒンジ機構ａ１の軸部４を構成する可動部材３の膨出部３３の下面３３ａにほぼ一致する高さ位置にあるため、ほぼ１８０°回転した際に、その部材本体３１上の開放空間ｓに膨出部３３の一部が乗り上げることができ、扉１５は隣接する扉１５に平行な状態で密接に対面することができる。すなわち、図９に示す平面視において、左側の扉１５を支持するヒンジ機構ａ１の膨出部２３、３３が、見掛け上右側から回転してきた扉１５の肉厚内に入り込んでいるように見えるが、実際には図８に示したように前記可動部材３を構成する部材本体３１の開放空間ｓにそれらの膨出部２３、３３等からなる軸部４が受容され、開放空間ｓは隣接する軸部４を受容して干渉を避ける本発明の干渉回避部として機能している。
【００２６】
以上は主として上側のヒンジ機構ａ１についての説明であるが、下側のヒンジ機構ａ２についても上下対称であるだけで、基本的には上側のヒンジ機構ａ１と全く同様である。このため、以下の説明を含めてその具体的な構成及び効果についての記載は省略する。
【００２７】
以上のようにして、この実施形態の扉開閉装置Ａは、筐体１ｚと扉１５の間に、扉１５の前面から前方へ軸部４を僅かに突出させてヒンジ機構ａ１等が構成され、扉１５側には、図８等に示したようにほぼ１８０°回転した際に隣接する扉１５の前面から前方へ僅かに突出した位置に存する軸部４との干渉を避ける干渉回避部である開放空間ｓが設けられるとともに、軸部４が扉１５の幅方向に沿ってほぼ吊元側の縁部１５ａ上に設けられているものである。
【００２８】
このように構成すると、扉１５を略１８０°回転させた際に隣接する扉１５の軸部４との干渉が開放空間ｓにおいて回避されるため、図７に示すように軸部４の扉１５からの突出量ｄ１を僅かな量に抑えて、図９に示すように反転した扉１５を隣接する扉１５の前面に極近接させることができる。このため、２段蝶番などにせずとも、１８０°回転した扉１５と隣接する扉１５との対面間距離δを小さく抑ええ見栄えや格調を良好に保ち、前方の動作空間も極力狭めない状態を簡易に実現することができる。また、図７に示す９０°回転時においても、軸部４が筐体１ｚに近い位置に存することになるため、筐体１ｚから前方への扉１５の突出量ｄ２を抑えて動作空間を有効に確保することができる。
また、軸部４が図７に示すように扉１５の幅方向に沿ってほぼ吊元側の縁部１５ａ上にほぼ位置しているため、扉１５が回転した際に、吊元側の縁部１５ａの軸部４からの回転半径が非常に小さく抑えられ、当該縁部１５ａが筐体１ｚと干渉することを極力回避することができる。この点も、軸部４を筐体１ｚに極力近づけて９０°回転時に扉１５の無用な突出を抑えるという目的に対して奏功するものである。
【００２９】
特に軸部４は、図７に示すように少なくとも一部４ｚ（或いは４ｚ´）が扉１５の肉厚寸法Ｄ内に位置するように扉１５側に極接近させて設けてあるため、軸部４の扉前面からの突出量ｄ１を極力小さく抑えるという構成を効果的に実現することができる。
【００３０】
また、本実施形態の干渉回避部は、扉１５の開成動作に伴って扉１５の肉厚寸法内に形成される開放空間ｓであり、回転により反転した扉１５が隣接する扉１５の前面に近接して対面した際に、回転した扉１５に形成される開放空間ｓに隣接するヒンジ機構ａの軸部４を受容するようにしているので、それのみの特段の凹部等を設けずとも、可動部材３と固定部材２とが見栄え良く重合していた部位を利用して合理的に干渉回避部を形成することができる。
【００３２】
また、筐体１ｚの側板１１の厚みｔ２内に軸部４が位置しているため、９０°回転時に、扉１５の内面１５ｂを筐体１ｚの側板１１の内面よりも内側に極力突出させないように、つまり側板１１の内面１１ｂから扉１５の内面１１までの突出量ｔ３を極力抑えて、収納空間への物品の出し入れ時に扉１５が幅方向の支障となることを有効に回避することができる。特に、この実施形態では軸部４を側板１１の厚み中心ｍよりも更に側板１１の外面側に変位させているので、上記の効果に特に奏功するものである。
【００３３】
そして、以上のヒンジ機構ａ１は、筐体１ｚに固定される固定部材２と、扉１５に固定される可動部材３とを具備し、それら固定部材２及び可動部材３には前面から前方に向かって膨出部２３、３３が設けられ、軸部４は各々の膨出部２３、３３間を軸４ｘによって連結しただけのものであって、筐体１ｚと扉１５にそれぞれ固定部材２と可動部材３を取り付け、それらの膨出部２３、３３間を軸４ｘで連結するだけで構成できるので、簡素な構造で組付も平易なものにすることができる。
【００３４】
その際、可動部材３と固定部材２は閉止時に重合して前面がほぼ揃い、可動部材３を引き出すと可動部材３の膨出部３３は固定部材２の膨出部２３との重合位置を変えずに回転し、可動部材３のうち固定部材２が重合していた部位は、固定部材２から離れることにより開放されて、その開放空間ｓが隣接するヒンジ機構a１を構成する軸部４との干渉を避ける干渉回避部として機能するものであり、閉止時は可動部材３と固定部材２が密接に係り合い、可動部材３を引き出すと自然に開放空間ｓが形成されるため、この開放空間ｓを本発明の干渉回避部として有効に利用することができる。
【００３５】
そして、扉１５の吊元側に欠損部１５ｘを設け、扉１５の閉止時にその欠損部１５ｘを充填して扉１５の外形ラインを補完するように固定部材２及び可動部材３を配しているため、扉１５にヒンジ機構ａ１を適切に組み込むことが可能となる。
【００３６】
本実施形態の収納家具１は、上記のような扉開閉装置Ａによって一対の扉１５を観音開き状態で筐体１ｚに取り付けて構成されるものであるため、幅方向に密接に連設しても９０°開成や１８０°開成を適切に行うことができ、前面側の動作空間を有効に確保しつつ、内部の収納空間を効果的に活用することが可能となる。
【００３７】
なお、各部の具体的な構成は、上述した実施形態のみに限定されるものではなく、本発明の趣旨を逸脱しない範囲で種々変形が可能である。
【００３８】
例えば、本発明のヒンジ機構ａ１は、必ずしも上記実施形態のように扉１５を筐体１ｚに支持させるためのみに用いられるものではなく、略面一に隣接する２つの支持対象物を１８０°回転させて密接に重合させる必要のある用途には種々に適用が可能である。そのためには、ヒンジ機構ａ１を上記実施形態のように構成しておけばよい。すなわち、一部に膨出部２３を有した固定部材２と、一部に膨出部３３を有した可動部材３とを具備し、各々の膨出部２３、３３を軸４ｘで連結することにより軸部４を構成するとともに、可動部材２と固定部材３は閉止状態で重合し、可動部材２を引き出すと可動部材２の膨出部２３は固定部材３との重合位置を変えずに回転し、その際に可動部材２のうち固定部材３と重合していた部位が開放されて、その開放空間ｓが他のヒンジ機構ａ１が隣接した場合に当該ヒンジ機構ａ１を構成する軸部４との干渉を避ける干渉回避部となるように構成しておくことで、上記実施形態と同様の基本的作用効果を奏することができる。その際の各部の設定も、上記に準じて行えば具体的効果を上記実施形態により近づけることが可能である。
【００３９】
また、干渉回避部としては、扉１５の肉厚寸法内において、１８０°回転時に隣接するヒンジ機構を受容する位置に凹部や切欠、スリットなどを内面側に開放させて設けておく態様なども勿論可能である。
【図面の簡単な説明】
【００４０】
【図１】本発明の一実施形態を適用した収納家具の斜視図。
【図２】図１における上側のヒンジ機構の部分分解斜視図。
【図３】同ヒンジ機構の組付構造を扉の正面側から示す斜視図。
【図４】同ヒンジ機構の組付構造を扉の吊元側の縁部側から示す斜視図。
【図５】扉が回転し始めた際の様子を示す図４に対応した斜視図。
【図６】扉が閉止位置にあるときのヒンジ機構周辺の状態を示す平面図。
【図７】扉が９０°回転したときのヒンジ機構周辺の状態を示す平面図。
【図８】扉が１８０°回転したときのヒンジ機構周辺の状態を示す斜視図。
【図９】扉が１８０°回転したときのヒンジ機構周辺の状態を示す平面図。
【図１０】従来例を示す図。
【符号の説明】
【００４１】
Ａ…扉開閉装置
ａ１、ａ２…ヒンジ機構
Ｄ…扉の肉厚寸法
ｓ…干渉回避部（開放空間）
ｔ２…側板の厚み
１…収納家具
１ｚ…筐体
２…固定部材
３…可動部材
４…軸部
４ｘ…軸
１５…扉
１５ａ…吊元側の縁部
１５ｘ…欠損部
２３…膨出部
３３…膨出部
【図１】
0005062623.tif 000002
【図２】
0005062623.tif 000003
【図３】
0005062623.tif 000004
【図４】
0005062623.tif 000005
【図５】
0005062623.tif 000006
【図６】
0005062623.tif 000007
【図７】
0005062623.tif 000008
【図８】
0005062623.tif 000009
【図９】
0005062623.tif 000010
【図１０】
0005062623.tif 000011